(57)【要約】      （修正有）【課題】ＥＲレンチがＥＲナットからはずれることによる操作員のケガや、切削刃物の傷つきを防止できる専用コレットナットレンチ構造を提供する。【解決手段】等間隔に、複数の歯部が形成され、上記各歯部の内面に、ともに、上記円弧体から、少しずつ上記歯部の末端へ向かって拡大する単方向斜面が形成され、上記円弧体から、更に、側辺へ向かって一体成型する長棒状のグリップ部が形成される円弧体がある専用コレットナットレンチ構造であり、上記円弧体の上から上記歯部の外面へ向かって、一体成型された半円を超えた保護弧形板が延び、上記保護弧形板の長さは、上記歯部よりも長く、厚さは、それぞれ、二つのＥＲコレットナットの間において、自在に可動するように設定されており、かつＥＲコレットナット全体を囲んでいる。【選択図】図２
0003184100.tif 000002
【実用新案登録請求の範囲】
【請求項１】
等間隔に、複数の歯部が形成され、上記各歯部の内面に、ともに、上記円弧体から、少しずつ上記歯部の末端へ向かって拡大する単方向斜面が形成され、上記円弧体から、更に、側辺へ向かって一体成型する長棒状のグリップ部が形成される円弧体がある専用コレットナットレンチ構造であって、
上記円弧体の上から、上記歯部の外面へ向かって、一体成型して、半円を超えた保護弧形板が延び、上記保護弧形板の長さが、上記歯部よりも長く、上記保護弧形板の厚さが、それぞれ、二つのERコレットナットの間において、自在的に可動的になるようであり、上記保護弧形板により、すべり外さないように、上記ERコレットナットが囲まれる、
ことを特徴とする専用コレットナットレンチ構造。
【請求項２】
上記円弧体が、全円周円弧体で、上記全円周円弧体から上記歯部の外面へ向かって、一体成型する全円周の保護弧形板が延びて、長いスリーブ形状になり、上記全円周の保護弧形板の長さが、上記歯部よりも長くなり、上記全円周の保護弧形板の厚さが、それぞれ、上記の二つのERコレットナットの間において、上記全円周の保護弧形板により、すべり外さないように、上記ERコレットナットが囲まれることを特徴とする請求項１に記載の専用コレットナットレンチ構造。
【考案の詳細な説明】
【技術分野】
【０００１】
本考案は、切削刃物固定道具のレンチに関し、特に、専用コレットナットレンチ構造に関する。
【背景技術】
【０００２】
切削刃物固定道具の一つは、コレットであり、それは、ナットを締まることにより、堅く上記切削刃物を固定できるが、上記ナットを締まることや弛めることには、レンチで、調整しなければならなく、例えば、ERコレットナットM型式の場合、その歯槽が、六つの緩和傾斜歯槽を有するため、ERレンチを利用して、上記ERコレットナットを調整できる。その中、ERコレットのERは、ドイツ標準:DIN
6499-2002によって、道具グリッパーの角度調整のチャック-チャックやナット及び部材サイズに従って、品番:ERになる。DIN 69882/6-2000によれば、DIN 69893-1の中空テーパシャンクを有する道具チャック-第六部分:E型で、8°実装角のバネチャックサイズである。
【０００３】
図１は、従来のERレンチ1であり、一般として、開口2を有する円弧体3になり、円弧体3に、等間隔に、複数の単方向錐状歯部4が形成され、上記の等間隔に複数の単方向錐状歯部4で、上記ERナット5の等間隔の複数の単方向錐状道具の係合槽5ａに嵌入して、上記従来のERレンチ1のグリップ6を回転すると、上記等間隔の複数の単方向錐状歯部4と、等間隔の複数の単方向錐状道具の係合槽5ａとが、係合することにより、上記ERナット5が、上記ERコレット7に対して、弛められるや締められるように操作され、これにより、上記切削刃物8を実装することや外すことが、行われる。しかし、上記等間隔の複数の単方向錐状歯部4と、等間隔の複数の単方向錐状道具の係合槽5ａとの接触面が、斜面であるため、操作する時、ERレンチ1が、容易に、ERナット5から脱離でき、操作員が、操作する時、脱離することにより、傷つく恐れがあり、また、ERレンチ1の脱離や衝撃により、切削刃物に傷つく恐れもある。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、特に、ERコレットM型式ナットに使用されるレンチで、等間隔に、複数の歯部が形成され、上記各歯部の内面に、ともに、上記円弧体から、少しずつ上記歯部の末端へ向かって拡大する単方向斜面が形成され、上記円弧体から、更に、側辺へ向かって一体成型する長棒状のグリップ部が形成される円弧体がある専用コレットナットレンチ構造であって、上記円弧体の上から、上記歯部の外面へ向かって、一体成型して、半円を超えた保護弧形板が延び、上記保護弧形板の長さが、上記歯部よりも長く、上記保護弧形板の厚さが、それぞれ、二つのERコレットナットの間において、自在的に可動的になるようであり、上記保護弧形板により、すべり外さないように、上記ERコレットナットが囲まれる、専用コレットナットレンチ構造を提供する。
【０００６】
本考案の他の目的は、上記円弧体が、全円周円弧体で、上記全円周円弧体から上記歯部の外面へ向かって、一体成型する全円周の保護弧形板が延びて、長いスリーブ形状になり、上記全円周の保護弧形板の長さが、上記歯部よりも長くなり、上記全円周の保護弧形板の厚さが、それぞれ、上記の二つのERコレットナットの間において、上記全円周の保護弧形板により、すべり外さないように、上記ERコレットナットが囲まれる、専用コレットナットレンチ構造を提供する。
【課題を解決するための手段】
【０００７】
請求項１の考案は、等間隔に、複数の歯部が形成され、上記各歯部の内面に、ともに、上記円弧体から、少しずつ上記歯部の末端へ向かって拡大する単方向斜面が形成され、上記円弧体から、更に、側辺へ向かって一体成型する長棒状のグリップ部が形成される円弧体がある専用コレットナットレンチ構造であって、上記円弧体の上から、上記歯部の外面へ向かって、一体成型して、半円を超えた保護弧形板が延び、上記保護弧形板の長さが、上記歯部よりも長く、上記保護弧形板の厚さが、それぞれ、二つのERコレットナットの間において、自在的に可動的になるようであり、上記保護弧形板により、すべり外さないように、上記ERコレットナットが囲まれる、ことを特徴とする専用コレットナットレンチ構造である。
【０００８】
請求項２の考案は、上記円弧体が、全円周円弧体で、上記全円周円弧体から上記歯部の外面へ向かって、一体成型する全円周の保護弧形板が延びて、長いスリーブ形状になり、上記全円周の保護弧形板の長さが、上記歯部よりも長くなり、上記全円周の保護弧形板の厚さが、それぞれ、上記の二つのERコレットナットの間において、上記全円周の保護弧形板により、すべり外さないように、上記ERコレットナットが囲まれることを特徴とする請求項１に記載の専用コレットナットレンチ構造である。
【０００９】
以下、図面を参照しながら、本考案の特徴や技術内容について、詳しく説明するが、それらの図面等は、参考や説明のためであり、本考案は、それによって制限されることが無い。
【考案を実施するための形態】
【００１０】
図２乃至図４のように、本考案は、等間隔に、複数の歯部11が形成され、上記各歯部11の内面に、ともに、円弧体10から、少しずつ歯部11の末端111へ向かって拡大する単方向斜面112が形成され、上記円弧体10から、更に、側辺へ向かって一体成型する長棒状のグリップ部20が形成される円弧体10があり、上記円弧体10の上から、歯部11の外面へ向かって、一体成型して、半円を超えた保護弧形板30が伸び、上記保護弧形板30の長さが、上記歯部11よりも長く、上記保護弧形板30の厚さが、ぞれぞれ、二つのERコレットナット40の間において、自在的に可動的になるようであり、上記保護弧形板30により、滑り外さないように、上記ERコレットナット40全体が囲まれ、これにより、操作員や切削刃物50に傷つくことが防止される。
【００１１】
また、図５と図６のように、本考案は、全円周円弧体60を有し、上記円弧体が、全円周円弧体60で、上記全円周円弧体60から等間隔に、複数の歯部61が形成され、上記各歯部61の内面に、ともに、上記全円周円弧体60から、少しずつ歯部61の末端611へ向かって拡大する斜面612が形成され、上記全円周円弧体60から、更に、側辺へ向かって一体成型する長棒状のグリップ部70が形成され、上記全円周円弧体60の上から、歯部61の外面へ向かって、一体成型して、全円周の保護弧形板80が伸び、長いスリーブ形状が形成され、上記全円周の保護弧形板80の長さが、上記歯部61よりも長く、上記全円周の保護弧形板80の厚さが、それぞれ、二つのERコレットナット40の間において、上記全円周の保護弧形板80によｒ、上記ERコレットナット40全体が囲まれ、操作員や切削刃物50に傷つくことを防止できる。
【００１２】
そのため、本考案は、より進歩的かつより実用的で、法に従って実用新案登録請求を出願する。
【００１３】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１４】
【図１】従来のERレンチをコレットナットに適用する時の実施状態図
【図２】本考案の一つの実施例の立体図
【図３】本考案の一つの実施例のコレットナットを取り外すや取り締まる前の立体図
【図４】本考案の一つの実施例のコレットナットを取り外すや取り締まる時の作動図
【図５】本考案の他の実施例の立体図
【図６】本考案の更に他の実施例のコレットナットを取り外すや取り締まる前の立体図
【符号の説明】
【００１５】
従来
1  ERレンチ
2  開口
3  円弧体
4  単方向錐状歯部
5  ERナット
5ａ  単方向錐状道具係合槽
6  グリップ
7  ERコレット
8  切削刃物
本考案
10  円弧体
11  歯部
111  末端
112  単方向斜面
20  グリップ部
30  保護弧形板
40  ERコレットナット
50  切削刃物
60  全円周円弧体
61  歯部
611  末端
612  斜面
70  グリップ部
80  全円周の保護弧形板
【図１】
0003184100.tif 000003
【図２】
0003184100.tif 000004
【図３】
0003184100.tif 000005
【図４】
0003184100.tif 000006
【図５】
0003184100.tif 000007
【図６】
0003184100.tif 000008